(57)【要約】【課題】放送局が有するコンテンツを簡易に取得すること。【解決手段】配信システム１００は、放送局１０と、端末装置３０と、ネットワーク５０と、ＷＬＡＮ用基地局装置６０と、課金管理装置７０と、セルラー用基地局装置８０とを含む。放送局１０は、端末装置３０に対して、放送コンテンツを放送する。また、放送局１０は、端末装置３０から要求された通信コンテンツが有料である場合、課金管理装置７０に対して、ネットワーク５０を介して課金処理を依頼する。課金管理装置７０は、ネットワーク５０およびセルラー用基地局装置８０を介して、端末装置３０との間で課金処理を実行する。放送局１０を介して依頼された課金処理が完了した場合、課金管理装置７０は、ネットワーク５０を介して、課金処理が完了した旨を放送局１０に報告する。放送局１０は、要求された通信コンテンツを端末装置３０で再生可能なフォーマットに変換した後に配信する。【選択図】図１
2010028152.tif 000002
【特許請求の範囲】
【請求項１】
通信システムでの基地局装置から、当該通信システムにおいて規定された形式のデータを受信し、また、前記通信システムとは別の放送システムから、当該放送システムにおいて放送用に規定された形式のデータを受信する通信部と、
放送用に規定された形式のデータを再生する再生部と、
を備え、
前記通信部において基地局装置から受信したデータには、放送用に規定された形式のデータが含まれており、
前記再生部は、前記通信部において前記基地局装置から受信したデータから、放送用に規定された形式のデータを抽出し、抽出したデータを再生することを特徴とする端末装置。
【請求項２】
前記通信部において放送システムから受信したデータには、基地局装置から受信可能な少なくとも１以上の番組が示されたリストが含まれており、
前記通信部は、リストに示された番組のうち、いずれかの番組の配信を基地局装置に要求し、要求した番組が含まれたデータを基地局装置から受信することを特徴とする請求項１に記載の端末装置。
【請求項３】
前記通信部は、データの要求を契機として、当該端末装置と前記通信システムとの間の経路とは異なるセルラー用の通信経路を介して、前記通信システムとは別のセルラー用の通信システムに対して、当該データに対する課金処理を依頼する手段と、前記セルラー用の通信システムから課金処理の結果を示す情報を受信する手段と、受信した情報が課金処理が完了した旨を示すものである場合、基地局装置から、当該データを受信する手段を含むことを特徴とする請求項２に記載の端末装置。
【請求項４】
前記放送システムは、放送用に規定された形式のデータが含まれた配信データを通信網を介して前記基地局装置に配信するデータ配信装置を含み、
前記通信部が基地局装置から受信するデータは、前記データ配信装置から前記基地局装置に対して配信された配信データを含むことを特徴とする請求項１から３のいずれかに記載の端末装置。
【発明の詳細な説明】
【技術分野】
【０００１】
本発明は、通信技術に関し、特に、無線ネットワーク内における端末装置に関する。
【背景技術】
【０００２】
近年、パーソナルコンピュータを用いて、テレビジョン放送や、ラジオ放送などの放送番組を視聴できるようになった。しかし、パーソナルコンピュータを用いる場合、自宅等の限られた場所でしか放送番組を視聴できなかった。そのため、持ち運び可能な端末装置を用いることによって、場所を問わずに、放送番組を視聴していた（たとえば、特許文献１参照）。
【特許文献１】特開２００２−１６４８６０号公報
【発明の開示】
【発明が解決しようとする課題】
【０００３】
一般的に、放送事業者は、番組を作成し、蓄積している。しかしながら、放送に用いられる周波数帯や、放送時間は有限であるため、蓄積された番組（以下、「コンテンツ」と表記する。）の中には、放送される対象とはならない未公開映像や楽曲なども含まれる。一方、ユーザは、放送されない未公開映像や楽曲などの視聴を希望する場合がある。したがって、ユーザの希望に応じて、個別に、未公開映像等のコンテンツを配信することが望ましい。
【０００４】
本発明はこうした状況に鑑みてなされたものであり、その目的は、放送局が有するコンテンツを簡易に取得できる技術を提供することにある。
【課題を解決するための手段】
【０００５】
上記課題を解決するために、本発明のある態様の端末装置は、通信システムでの基地局装置から、当該通信システムにおいて規定された形式のデータを受信し、また、通信システムとは別の放送システムから、当該放送システムにおいて放送用に規定された形式のデータを受信する通信部と、放送用に規定された形式のデータを再生する再生部と、を備える。通信部において基地局装置から受信したデータには、放送用に規定された形式のデータが含まれており、再生部は、通信部において基地局装置から受信したデータから、放送用に規定された形式のデータを抽出し、抽出したデータを再生する。
【０００６】
ここで、「通信システムでの基地局装置」は、ＷＬＡＮ（Ｗｉｒｅｌｅｓｓ  Ｌｏｃａｌ  Ａｒｅａ  Ｎｅｔｗｏｒｋ）システムにおけるアクセスポイントを含む。また、「通信システムにおいて規定された形式」は、たとえば、ＩＥＥＥ８０２.１１にて標準化された物理レイヤのデータフォーマットなどを含む。また、「放送用に規定された形式」は、たとえば、ＭＰＥＧ−２  ＴＳ（Ｍｏｖｉｎｇ  Ｐｉｃｔｕｒｅ  Ｅｘｐｅｒｔ  Ｇｒｏｕｐ−２  Ｔｒａｎｓｐｏｒｔ  Ｓｔｒｅａｍ）として規定されたＴＳパケットのフォーマットなどを含む。
【０００７】
この態様によると、配信側の基地局装置から、放送用に規定された形式のコンテンツが含まれたデータを配信し、かつ、再生側の端末装置において、受信したデータから、放送用に規定された形式のデータを抽出し、抽出されたデータを再生するので、端末装置は、コンテンツを簡易に取得できる。
【０００８】
通信部において放送システムから受信したデータには、基地局装置から受信可能な番組を示すリストが含まれており、通信部は、リストに示された番組のうち、いずれかの番組の配信を基地局装置に要求し、要求した番組が含まれたデータを基地局装置から受信してもよい。
【０００９】
この場合、放送システムから受信した識別情報に示された１以上の番組のうち、いずれかの番組の配信を基地局装置に要求することによって、ユーザが希望するコンテンツを簡易に取得できる。
【００１０】
通信部は、データの要求を契機として、当該端末装置と通信システムとの間の経路とは異なるセルラー用の通信経路を介して、通信システムとは別のセルラー用の通信システムに対して、当該データに対する課金処理を依頼する手段と、セルラー用の通信システムから課金処理の結果を示す情報を受信する手段と、受信した情報が課金処理が完了した旨を示すものである場合、基地局装置から、当該データを受信する手段を含んでもよい。
【００１１】
この場合、データが配信される通信システムとは異なる既存の課金システムとの間で課金処理を実施することによって、簡易に課金処理を実現できる。
【００１２】
通信部は、セルラー用の通信システムからセルラー用の通信経路を介して受信した情報に課金処理が完了した旨が示されている場合、基地局装置から、データの再生を実行するために必要な情報を受信してもよい。データの再生を実行するために必要な情報は、データを復号するための鍵情報などを含む。この場合、データの再生を実行するために必要な情報を別途取得することによって、安全にデータを再生できる。
【００１３】
放送システムは、放送用に規定された形式のデータが含まれた配信データを通信網を介して基地局装置に配信するデータ配信装置を含み、通信部が基地局装置から受信するデータは、データ配信装置から基地局装置に対して配信された配信データを含んでもよい。通信網は、有線通信網を含む。この場合、端末装置は、基地局装置を介して、放送用に規定された形式のデータを含んだデータを容易に取得できる。
【００１４】
本発明の別の態様もまた、端末装置である。この装置は、放送局から放送された配信番組のリストと放送番組とを再生し、表示する表示部と、表示部に放送番組とともに表示されたリストから、所望の配信番組の選択を入力する操作部と、を備える。表示部は、基地局装置に対して、操作部によって選択された配信番組の配信を要求し、さらに、通信用に規定された形式のデータであって、かつ、放送用に規定された形式の配信番組が含まれたデータを受信した後に、受信したデータから放送用に規定された形式の配信番組を抽出して、抽出された配信番組を表示する。
【００１５】
この場合、端末装置は、ユーザに接続先を意識させることなく、放送局から取得した放送番組を表示でき、また、通信システムから取得した配信番組を表示できる。
【００１６】
本発明のさらに別の態様は、通信方法である。この方法は、放送システムから、当該放送システムにおいて放送用に規定された形式の番組を含むデータを受信するステップと、放送用に規定された形式の番組を再生するステップと、放送システムとは異なる通信システムでの基地局装置から、再生するステップにおいて再生可能な形式の番組が含まれたデータであって、当該通信システムにおいて規定された形式のデータを受信するステップと、基地局装置から受信したデータから、放送用に規定された形式の番組を抽出し、抽出した番組を再生するステップとを含む。
【００１７】
本発明のさらに別の態様は、通信システムである。この通信システムは、配信番組のリストと放送番組とが含まれたデータであって、かつ、放送用に規定されたデータを放送する放送局と、放送用に規定されたデータを再生する端末装置と、リストに示された配信番組のうちのいずれかの配信番組について、端末装置から配信を要求されたことを契機として、要求された配信番組を通信用に規定されたデータに含めて端末装置に配信する基地局装置と、を含む。端末装置は、基地局装置から配信されたデータに対して、放送用に規定された形式の配信番組を抽出する処理を実行し、抽出された番組を表示する。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、放送局が有するコンテンツを簡易に取得できる。
【発明を実施するための最良の形態】
【００２０】
本発明の実施形態を具体的に説明する前に、まず、概要について述べる。本発明の実施形態にかかる通信システムは、放送局と、端末装置とを含む。放送局は、番組を放送する。端末装置は、放送局によって放送された番組を取得する。ここで、端末装置は、たとえば、携帯電話やＰＤＡ（Ｐｅｒｓｏｎａｌ  Ｄｉｇｉｔａｌ  Ａｓｓｉｓｔａｎｔ）などを含む。
【００２１】
一般的に、放送局は、コンテンツを作成し、作成したコンテンツを蓄積している。コンテンツは、映像だけでなく、映像と音声、楽曲、もしくは、文字情報が重畳されたデータや、音声、楽曲、もしくは、文字情報のみのデータを含む。しかしながら、放送に用いられる周波数帯や、放送時間は有限であるため、蓄積された番組（以下、「コンテンツ」と表記する。）の中には、放送される対象とはならない未公開映像や楽曲なども含まれる。
【００２２】
一方、ユーザは、放送されない未公開映像や楽曲などの視聴を希望する場合がある。たとえば、映画に関する未公開映像として、映画ができるまでを記録したメイキング映像などである。したがって、ユーザの希望に応じて、個別に、未公開映像等のコンテンツを配信することが望ましい。
【００２３】
放送の対象とはならないコンテンツを個別に配信するためには、放送に用いられる放送システムとは異なる通信システムを用いる必要がある。放送システムと異なる通信システムとは、たとえば、ＷＬＡＮを用いた通信システムなどを含む。この場合、放送局は、有線網を介して端末装置の近傍に存在するＷＬＡＮの基地局となるアクセスポイント（Ａｃｃｅｓｓ  Ｐｏｉｎｔ。以下、「ＡＰ」と表記する。）に向けてコンテンツを配信し、端末装置は、ＡＰにアクセスして、配信されたコンテンツを取得する。
【００２４】
なお、以下においては、説明の便宜上、放送システムを用いて配信されるコンテンツを放送コンテンツと表記する。また、放送システムとは異なる通信システムを用いて配信されるコンテンツを通信コンテンツと表記する。
【００２５】
放送コンテンツは、放送システムにおける放送のために、所定の動画符号化方式や音声符号化方式、たとえば、Ｈ．２６４やＭＰＥＧなどのように、放送用に規定されたフォーマット（以下、「放送用フォーマット」と表記する。）で作成され、蓄積されている場合が多い。
【００２６】
端末装置において、放送用の電波を受信して放送コンテンツを取得する機能と、取得した放送コンテンツを再生する機能とが備えられていたとしても、通信システムによる配信において用いられるフォーマットのコンテンツを再生できる再生機能を有していない場合が多い。そうすると、通信システムによる配信において用いられるフォーマットで構成された通信コンテンツがＷＬＡＮで配信されたとしても、既存の再生機能では再生できないため、通信システムによる配信において用いられるフォーマットを再生するコーデックなどが新たに必要となる。この場合、コストの増大、消費電力の増大などの問題が発生しうる。
【００２７】
そこで、本実施形態では、端末装置が備える再生部に入力される通信コンテンツのフォーマットを放送局に蓄積されている放送コンテンツのフォーマットと同一にすることとした。具体的には、配信側の放送局において、放送用フォーマットで構成されている通信コンテンツを通信用に規定された形式の信号に含める。端末装置は、受信した信号を復調して、通信コンテンツを抽出する。抽出された通信コンテンツは、放送用フォーマットで構成されており、放送用フォーマットを再生可能な再生部によって再生できる。具体的には未公開コンテンツを視聴出来たり、放送された際に見逃したコンテンツを視聴者が見たいときに容易に見ることが可能となる。つまり、放送局が有するコンテンツのうち、見たいコンテンツを見たいときに容易に見ることが可能になる。
【００２８】
図１は、本発明の実施形態にかかる配信システム１００の構成例を示す。配信システム１００は、放送局１０と、端末装置３０と、ネットワーク５０と、ＷＬＡＮ用基地局装置６０と、課金管理装置７０と、セルラー用基地局装置８０とを含む。端末装置３０は、ＷＬＡＮ用基地局装置６０との間で、ＷＬＡＮ方式による通信を実行する。また、端末装置３０は、セルラー用基地局装置８０との間で、セルラー用通信を実行する。なお、説明の便宜上、図１においては、端末装置３０を１台のみを図示したが、複数の端末装置３０が存在してもよい。
【００２９】
放送局１０は、放送コンテンツを放送する。放送コンテンツには、配信可能な通信コンテンツのリストが含まれる。端末装置３０は、放送された放送コンテンツを受信する。また、端末装置３０は、放送コンテンツに含まれたリストを取得する。ここで、ユーザが、リストに含まれる通信コンテンツの視聴を希望した場合、端末装置３０は、ＷＬＡＮ用基地局装置６０を介して、通信コンテンツの配信を放送局１０に要求する。
【００３０】
ここで、要求にかかるコンテンツが有料である場合、端末装置３０は、コンテンツの配信要求に先立って、セルラー用基地局装置８０を介して、課金管理装置７０に課金処理を依頼する（以下、「課金処理要求」と表記する。）。一般的に、コンテンツが有料である場合、ユーザは、放送局に対して、料金を支払う必要がある。一方、放送局は、有料の通信コンテンツを配信するための課金処理システムを新たに構築する必要があり、コスト上、好ましくない。したがって、本実施形態においては、有料の通信コンテンツの配信に対する課金処理を、端末装置に対して課金を実行するための既存の課金システムを利用することによって、課金処理に要するコストの増加を抑制する。
【００３１】
課金管理装置７０は、セルラー用基地局装置８０を介して、端末装置３０との間で課金処理を実行する。端末装置３０から課金処理要求があった場合、課金管理装置７０は、通信コンテンツに対する料金について、課金処理を実施する。課金処理が完了した後、課金管理装置７０は、セルラー用基地局装置８０を介して、「課金処理が完了した旨」が含まれた課金処理の結果を端末装置３０に報告する。
【００３２】
なお、課金管理装置７０は、課金に同意する否かについて、セルラー用基地局装置８０を介して、端末装置３０（利用者）に問い合わせてもよい。その場合、端末装置３０（利用者）は、課金管理装置７０からの問い合わせに対して、セルラー用基地局装置８０を介して、課金に同意するか否かについて回答する。回答があった場合、課金管理装置７０は、ネットワーク５０を介して、「課金処理が完了した旨」が含まれた課金処理の結果を端末装置３０に報告する。
【００３３】
セルラー用基地局装置８０は、端末装置３０とセルラー通信を行う。また、セルラー用基地局装置８０は、端末装置３０と課金管理装置７０との間の課金処理に関する通信を相互に中継する。なお、セルラー通信は、たとえば、ＣＤＭＡ（Ｃｏｄｅ  Ｄｉｖｉｓｉｏｎ  Ｍｕｌｔｉｐｌｅ  Ａｃｃｅｓｓ）方式やＴＤＭＡ（Ｔｉｍｅ  Ｄｉｖｉｓｉｏｎ  Ｍｕｌｔｉｐｌｅ  Ａｃｃｅｓｓ）方式などを用いた無線通信を含む。
【００３４】
端末装置３０は、セルラー用基地局装置８０を介して、課金管理装置７０から「課金処理が完了した旨」の報告を受けた後に、その報告にしたがって、コンテンツの配信を放送局１０に要求する。ＷＬＡＮ用基地局装置６０は、ネットワーク５０を介して、放送局１０に対して、端末装置３０からの配信要求を送信する。ここで、ＷＬＡＮ用基地局装置６０を介する通信は、ＷＬＡＮ方式が用いられているものとする。
【００３５】
配信が要求された場合、放送局１０は、ネットワーク５０とＷＬＡＮ用基地局装置６０を介して、要求されたコンテンツを端末装置３０に配信する。具体的には、放送局１０は、放送用フォーマットで構成されたコンテンツを通信用に規定された形式の信号に変換し、変換されたコンテンツをネットワーク５０を介してＷＬＡＮ用基地局装置６０に送信する。ＷＬＡＮ用基地局装置６０は、受信したコンテンツを端末装置３０に送信する。また、放送局１０は、要求されたコンテンツを再生するための鍵情報、たとえば、暗号鍵やパスワードなどを端末装置３０に送信してもよい。鍵情報は、端末装置３０からコンテンツの要求を受けたことを契機として、コンテンツの配信に先立って送信されてもよく、また、コンテンツと同時に、あるいは、コンテンツを配信した後に送信されてもよい。
【００３６】
ここで、放送局１０の構成について、具体的に説明する。図２は、図１の放送局１０の構成例を示す図である。放送局１０は、配信制御部１２と、放送コンテンツ配信部１４と、コンテンツ記憶部１６と、コンテンツ要求受信部１８と、フォーマット変換部２２と、通信コンテンツ配信部２４と、を含む。これらは、バス２６により、それぞれ接続されている。
【００３７】
配信制御部１２は、バス２６を介して、放送コンテンツ配信部１４と、コンテンツ記憶部１６と、コンテンツ要求受信部１８と、フォーマット変換部２２と、通信コンテンツ配信部２４を制御する。放送コンテンツ配信部１４は、コンテンツ記憶部１６に記憶されたコンテンツを放送コンテンツとして、放送する。この放送は、たとえば、地上デジタル放送に用いられている複数のセグメントのうちの１つのセグメントを用いて行われる、ワンセグ放送とも呼ばれるものである。
【００３８】
放送コンテンツには、放送すべき番組と、配信可能な通信コンテンツのリストが含まれる。リストは、放送された番組に関する情報やその他の情報を含む。番組に関する情報とは、たとえば、番組がドラマである場合、ドラマに含まれる楽曲の情報や、ドラマの提供者のＣＭ（Ｃｏｍｍｅｒｃｉａｌ  Ｍｅｓｓａｇｅ）番組に関する情報などである。また、その他の情報とは、放送すべき番組とは直接関連がない番組である。たとえば、天気予報や選挙速報などである。これらの番組に関する情報またはその他の情報（以下、「付加情報」と表記する。）は、放送用フォーマットで記憶される。なお、付加情報は、番組に関する情報やその他の情報が示された識別情報を含む。本実施形態では、配信可能な通信コンテンツのリストは、ＢＭＬ（Ｂｒｏａｄｃａｓｔ  Ｍａｒｋｕｐ  Ｌａｎｇｕａｇｅ）で記述され、データ放送として伝送されるものとする。
【００３９】
コンテンツ要求受信部１８は、図示しない個々の端末装置３０から送信された通信コンテンツの配信要求が示された要求信号を受信して、配信制御部１２に通知する。
【００４０】
配信制御部１２は、要求された通信コンテンツを配信する処理を実行する。具体的には、配信制御部１２は、コンテンツ記憶部１６に記憶されたコンテンツから、要求された通信コンテンツにかかるコンテンツを読み出す。読み出したコンテンツは、放送用フォーマットで構成されているため、配信制御部１２は、フォーマット変換部２２に対して、読み出したコンテンツのフォーマットを通信用に規定された形式の信号に変換させる。
【００４１】
フォーマット変換部２２は、コンテンツ記憶部１６から読み出したコンテンツを、通信用に規定された形式に変換する。通信コンテンツ配信部２４は、ネットワーク５０とＷＬＡＮ用基地局装置６０を介して、通信用に規定された形式の信号に変換された通信コンテンツを端末装置３０に配信する。
【００４２】
ここで、フォーマット変換部２２が実行する変換処理について具体的に説明する。ここでは、放送用フォーマットとして、ＭＰＥＧ２のＴＳパケットが用いられるとする。なお、ＴＳパケットは、ＭＰＥＧ２の特徴的なストリームで、放送等を対象として標準化されたものである。標準化においては、放送等に適合しやすいように、ＴＳパケットの長さは小さく（１８８バイト）規定され、かつ、その長さは固定長として規定されている。
【００４３】
ここで、フォーマット変換部２２における変換処理の具体例を示す。図３（ａ）〜（ｄ）は、コンテンツのフォーマット例を示したものである。図３（ａ）は、記録用フォーマット２００を示したものである。コンテンツ記憶部１６において記憶されているコンテンツのフォーマットは、記録用フォーマット２００である。記録用フォーマット２００には、ＴＳパケット１１０で代表される第１ＴＳパケット１１０ａ〜第３ＴＳパケット１１０ｃと、タイムスタンプ１２０で代表される第１タイムスタンプ１２０ａ〜第３タイムスタンプ１２０ｃとが含まれる。
【００４４】
図３（ｂ）は、放送用フォーマット２１０の例である。フォーマット変換部２２は、コンテンツ記憶部１６が保持している記録用フォーマット２００のデータに含まれるタイムスタンプ１２０と、自身のクロックカウンタが一致するのを待ち、放送用フォーマット２１０に変換する。この際、フォーマット変換部２２のクロック周波数は、例えば、２７ＭＨｚであってもよい。放送用フォーマット２１０には、ＴＳパケット１１０に代表される第１ＴＳパケット１１０ａ〜第３ＴＳパケット１１０ｃが含まれる。
【００４５】
図３（ｃ）は、通信用フォーマット２２０の例である。通信用フォーマット２２０には、ヘッダ情報１２２で代表される第１ヘッダ情報１２２ａ〜第３ヘッダ情報１２２ｃと、ＴＳパケット１１０とが含まれる。これは、放送用フォーマット２１０を、通信システムにおいて配信や受信が可能な形式に変換したものである。
【００４６】
具体的には、フォーマット変換部２２は、放送用フォーマット２１０に含まれるそれぞれのＴＳパケット１１０から、ＲＴＰ（Ｒｅａｌ−ｔｉｍｅ  Ｔｒａｎｓｐｏｒｔ  Ｐｒｏｔｏｃｏｌ）パケットを生成する。その後、生成したＲＴＰパケットからＵＤＰ（Ｕｓｅｒ  Ｄａｔａｇｒａｍ  Ｐｒｏｔｏｃｏｌ）パケットを生成し、ＵＤＰパケットからＩＰ（Ｉｎｔｅｒｎｅｔ  Ｐｒｏｔｏｃｏｌ）パケットを生成する。
【００４７】
つまり、ヘッダ情報１２２は、ＲＴＰパケットヘッダ、ＵＤＰパケットヘッダ、ＩＰパケットヘッダから成る。これらの変換により、コンテンツ記憶部１６が保持している記録用フォーマットのコンテンツを、通信システムで配信できる。ここでは、１つのＴＳパケットが１つのＲＴＰパケットとなっているが、複数のＴＳパケットを１つのＲＴＰパケットとして構成しても良いし、他の階層のパケット化についても同様の拡張は考えられる。また、一般にＭＡＣ層や物理層と呼ばれる層のためのＭＡＣフレーム化なども必要であるが、既存の技術であるので、説明は省略する。なお、図３（ｄ）については、後述する。
【００４８】
図１に戻る。ＷＬＡＮ用基地局装置６０について説明する。ＷＬＡＮ用基地局装置６０は、端末装置３０との間で、ＷＬＡＮ方式による通信を実行する。具体的には、端末装置３０から送信された配信要求を受信する。また、ＷＬＡＮ用基地局装置６０は、ネットワーク５０を介して、受信した配信要求を送信する。また、ＷＬＡＮ用基地局装置６０は、ネットワーク５０を介して、放送局１０から通信コンテンツを受信する。その後、ＷＬＡＮ用基地局装置６０は、受信した通信コンテンツを端末装置３０に送信する。また、放送局１０から、送信すべき通信コンテンツに関する鍵情報が送られた場合、その鍵情報も端末装置３０に送信する。
【００４９】
つぎに、端末装置３０の構成について、具体的に説明する。図４は、図１の端末装置３０の構成例を示す図である。端末装置３０は、放送コンテンツ受信部３２と、再生部３４と、出力部３６と、受付部３８と、コンテンツ要求部４０と、モバイル通信部４２と、通信コンテンツ受信部４６と、フォーマット変換部４８と、切替部２８とを含む。
【００５０】
放送コンテンツ受信部３２は、アンテナとワンセグチューナとを含む。アンテナは、放送局１０によって放送された放送コンテンツを含む放送波を受信し、ワンセグチューナへ出力する。ワンセグチューナは、アンテナからの入力を受け、放送波に対して、周波数変換処理、Ａ／Ｄ（Ａｎａｌｏｇ／Ｄｉｇｉｔａｌ）変換処理、復調処理、誤り訂正復号処理などの受信処理を実行する。また、ワンセグチューナは、受信処理が施された放送コンテンツを含む信号を切替部２８に出力する。切替部２８に出力される「放送コンテンツを含む信号」には、ＴＳパケットが含まれる。
【００５１】
切替部２８は、放送コンテンツ受信部３２、あるいは、後述するフォーマット変換部４８から出力された信号のうち、一方の信号を選択して、再生部３４に出力する。
【００５２】
再生部３４は、切替部２８から出力された通信コンテンツを再生し、出力部３６に表示させる。
【００５３】
図５は、図４の再生部３４の構成例を示す図である。再生部３４は、Ｄｅｍｕｘ部９０と、Ｈ２６４デコーダ９２と、ＡＡＣ（Ａｄｖａｎｃｅｄ  Ａｕｄｉｏ  Ｃｏｄｉｎｇ）デコーダ９４と、データ放送ブラウザ９６とを含む。Ｄｅｍｕｘ部９０は、ＴＳパケットに含まれるＰＩＤ（Ｐａｃｋｅｔ  ＩＤ)に基づいて、Ｈ２６４デコーダ９２、ＡＡＣデコーダ９４、あるいは、データ放送ブラウザ９６に出力する。
【００５４】
具体的には、Ｄｅｍｕｘ部９０は、ＳＩ／ＰＳＩ（Ｓｅｒｖｉｃｅ  Ｉｎｆｏｒｍａｔｉｏｎ  ／  Ｐｒｏｇｒａｍ  Ｓｐｅｃｉｆｉｃ  Ｉｎｆｏｒｍａｔｉｏｎ)と呼ばれる制御用情報が含まれたパケットを使用して、切替部２８から出力されたＴＳパケットを選別し、対応するデコーダ、あるいは、ブラウザに出力する。ここで、ＴＳパケットが映像用のデータを含む場合、Ｄｅｍｕｘ部９０は、ＴＳパケットをＨ２６４デコーダ９２に出力する。また、ＴＳパケットが音声データを含む場合、Ｄｅｍｕｘ部９０は、ＴＳパケットをＡＡＣデコーダ９４に出力する。
【００５５】
また、ＴＳパケットが、データ放送用のパケットの場合、Ｄｅｍｕｘ部９０は、ＴＳパケットから、ＤＳＭ−ＣＣ（Ｄｉｇｉｔａｌ  Ｓｔｏｒａｇｅ  Ｍｅｄｅｉａ−Ｃｏｍｍａｎｄ  ａｎｄ  Ｃｏｎｔｒｏｌ)データカルーセル方式で伝送されたＢＭＬファイルやそれらの構成要素となるＧＩＦ（Ｇｒａｐｈｉｃ  Ｉｎｔｅｒｃｈａｎｇｅ  Ｆｏｒｍａｔ）形式の画像ファイルなどを取り出し、データ放送ブラウザ９６に出力する。
【００５６】
Ｈ２６４デコーダ９２では、映像に関連するＴＳパケットのヘッダを取り除き、ペイロードを連結して、ＰＥＳ（Ｐａｃｋｅｔｉｚｅｄ  Ｅｌｅｍｅｎｔａｒｙ  Ｓｔｒｅａｍ）パケットを生成する。また、Ｈ２６４デコーダ９２は、ＰＥＳパケットのヘッダを取り除き、ペイロードを連結して、ＥＳ（Ｅｌｅｍｅｎｔａｒｙ  Ｓｔｒｅａｍ）を生成する。さらに、Ｈ２６４デコーダ９２は、生成したＥＳを復号し、非圧縮の映像信号を出力部３６に出力する。
【００５７】
ＡＡＣデコーダ９４は、音声が含まれたＴＳパケットについて、Ｈ２６４デコーダ９２と同様の動作を実行して、復号した音声データを出力部３６に出力する。
【００５８】
データ放送ブラウザ９６では、入力されたＢＭＬ文書を解釈し、文字列やＧＩＦ形式の画像ファイルなどをＢＭＬ文書の指示に従って整列して出力画面を作成し、出力部３６に出力する。ＢＭＬ文書は、前述の付加情報や課金情報などを含む。ＢＭＬ文書には静的な表現だけでなくＥＣＭＡＳｃｒｉｐｔと呼ばれるスクリプト言語で書かれた動的な処理も含まれており、データ放送ブラウザでは、ＥＣＭＡＳｃｒｉｐｔを解釈して実行することとなる。本実施形態において、ＢＭＬ文書に記述されているＥＣＭＡＳｃｒｉｐｔの関数は、放送コンテンツへの遷移を促す関数であり、かつ、コンテンツの名前が順に記載され、それぞれを指定することにより実行される関数である。この関数は、異なる遷移先であるＷＬＡＮの通信コンテンツへの遷移を促す別の関数を呼び出すものとなっている。なお、データ放送ブラウザでは、音声も出力可能であるが、ここでは説明を省略している。
【００５９】
図４に戻る。出力部３６は、図示しない音声出力部と表示部とを含む。音声出力部は、スピーカーなどであって音声を出力する。表示部は、ＯＳＤ（Ｏｎ  Ｓｃｒｅｅｎ  Ｄｉｓｐｌａｙ）の機能を用いて、Ｈ．２６４デコーダが出力する映像と、データ放送ブラウザが出力する画面とを合成して、ディスプレイに画面を表示する。
【００６０】
また、出力部３６は、ＷＬＡＮ通信への遷移を促すＥＣＭＡＳｃｒｉｐｔの関数、たとえば、”Ｘ＿ＤＰＡ＿ｓｔａｒｔＥｘＡＶ（）”、および、そのコンテンツ上の時間的開始位置と終了位置を含んだＢＭＬ文書が送られてきた場合、コンテンツのリストを含む付加情報を表示する。なお、受付部３８において受け付けたユーザからの表示指示にしたがって、番組とともに付加情報を表示し、あるいは、番組を表示することに代えて、付加情報を表示してもよい。
【００６１】
ここで、出力部３６において表示される表示例について具体的に説明する。図６は、図４の出力部３６における表示例を示す図である。表示例は、番組と、付加情報を一画面に表示する例を示す。表示例は、番組表示欄１３０と付加情報表示欄１４０とを含む。番組表示欄１３０は、再生部３４のＨ．２６４デコーダ９２において復元された番組が表示される個所を示す。また、付加情報表示欄１４０は、再生部３４のデータ放送ブラウザ９６において復元された付加情報が表示される個所を示す。付加情報表示欄１４０には、配信可能な通信コンテンツの一覧が表示される。図６においては、第１通信コンテンツ情報１４４ａである「ＮＧ集」と、第２通信コンテンツ情報１４４ｂである「主題歌「ＸＸＸＸ」」と、第３通信コンテンツ情報１４４ｃである「天気予報」と、それらのいずれかを選択するためのカーソル１４２が表示されている。
【００６２】
図４に戻る。受付部３８は、ユーザからの指示を受け付けるインタフェースである。ユーザからの指示は、前述した出力部３６に対する表示指示と、図６の付加情報表示欄１４０に表示された通信コンテンツの選択指示と、後述する課金処理に関する指示などを含む。通信コンテンツの選択は、図６のカーソル１４２をユーザが動かし、配信を要求する通信コンテンツ情報１４４を選択することによって、指示される。ユーザから通信コンテンツを選択する指示を受け付けた場合、受付部３８は、選択された通信コンテンツに関する情報をコンテンツ要求部４０に通知する。
【００６３】
コンテンツ要求部４０は、通知された通信コンテンツに関する情報に従って、ユーザが希望するコンテンツの配信を放送局１０に要求する。その際、要求するコンテンツが有料である場合、モバイル通信部４２に対して、課金処理要求の送信を依頼する。その後、モバイル通信部４２から、「課金処理が完了した旨」の通知を取得すると、放送局１０に対して、コンテンツの要求を行う。モバイル通信部４２から「課金処理が未完了である旨」の通知を取得すると、コンテンツの要求は行わない。また、コンテンツが無料である場合には、課金処理を要求せず、コンテンツ要求を行う。
【００６４】
モバイル通信部４２は、セルラー用基地局装置８０を介して、課金管理装置７０との間で、セルラー通信を実行する。モバイル通信部４２は、コンテンツ要求部４０からの依頼に基づいて、課金管理装置７０に対して課金処理要求を送信する。また、モバイル通信部４２は、課金管理装置７０から、課金処理の結果を受信し、それを、コンテンツ要求部４０に送る。
【００６５】
通信コンテンツ受信部４６は、放送局１０から、ＷＬＡＮ用基地局装置６０を介して配信される通信コンテンツを取得する。また、通信コンテンツ受信部４６は、通信コンテンツ受信部４６で受信した通信コンテンツに関する鍵情報を取得する。また、通信コンテンツ受信部４６は、受信した通信コンテンツに対して、周波数変換処理、Ａ／Ｄ変換処理、各種復調処理、誤り訂正復号処理、および、鍵情報を用いた復号処理を実行し、ＩＰパケットを出力する。取得されるＩＰパケットのフォーマットは、たとえば、前述の図３（ｃ）に示される通信用フォーマット２２０となる。
【００６６】
フォーマット変換部４８は、通信コンテンツ受信部４６で取得した通信用フォーマットの通信コンテンツを、再生部３４で再生可能なフォーマット、すなわち、放送用フォーマットに変換する。フォーマット変換部４８における変換は、前述した放送局１０における変換に対応する処理を実行する。具体的には、フォーマット変換部４８は、取得したＩＰパケットを順に分解して、所望のＴＳパケットを生成する。ＴＳパケットの生成の際に、バッファリング処理などを実行して、ＴＳパケットを安定的に出力する機能も有してもよい。生成されたＴＳパケットは、前述の切替部２８へ出力される。
【００６７】
具体的に説明する。たとえば、図３（ｃ）の通信用フォーマット２２０に示すようなフォーマットを受信した場合、フォーマット変換部４８は、通信用フォーマット２２０で構成されたそれぞれのＩＰパケットからＴＳパケット１１０を抽出して、並べる処理を実行すればよい。並べる処理は、通信用フォーマット２２０に含まれたＴＳパケットの識別情報を用いて、図３（ｄ）に示された放送用フォーマット２１０となるように、それぞれのパケットに含まれたＴＳパケットを整列する処理を含む。変換後の放送用フォーマット２１０は、複数のＴＳパケット１１０を含み、図３（ｂ）に示される放送用フォーマット２１０と同様のフォーマットとなる。
【００６８】
つぎに、課金管理装置７０の構成について、具体的に説明する。図７は、図１の課金管理装置７０の構成例を示す図である。課金管理装置７０は、課金情報通信部７２と、課金制御部７４とを含む。
【００６９】
課金情報通信部７２は、図示しない端末装置３０からの課金処理要求をセルラー用基地局装置８０を介して受信して、課金制御部７４に通知する。この課金処理要求には、通信コンテンツを要求した端末装置３０を示す情報と、通信コンテンツを示す情報と、通信コンテンツの料金を示す情報とが含まれる。課金制御部７４は、課金処理要求を契機として、課金処理を実行する。この課金処理の実行は、たとえば、端末装置３０を示す電話番号等に対して課金してもよい。課金処理が完了した後に、課金制御部７４は、端末装置３０に向けて、課金情報通信部７２に課金処理の結果を送信させる。
【００７０】
また、課金情報通信部７２は、課金制御部７４の指示にしたがって、セルラー用基地局装置８０を介して、図示しない端末装置３０に課金処理の結果を送信する。課金処理の結果には、通信コンテンツを示す情報と、通信コンテンツを配信するための料金を示す情報とが含まれてもよい。
【００７１】
また、課金処理の結果は、「課金処理が完了した旨」、もしくは、「課金処理が未完了である旨」が含まれてもよい。たとえば、課金管理装置７０と端末装置３０との間の無線環境の悪化により、課金処理が所定時間内に正常に完了しなかった場合は、「課金処理が未完了である旨」が含められる。
【００７２】
上述したこれらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００７３】
次に、本実施形態における配信システム１００の動作について説明する。図８は、図１の配信システム１００の動作例を示すシーケンス図である。まず。放送局１０は、放送コンテンツを放送する（Ｓ１０）。端末装置３０は、放送された放送コンテンツを受信し、番組と、付加情報とを再生し、表示する（Ｓ１４）。
【００７４】
ここで、ユーザが要求する通信コンテンツが有料である場合、端末装置３０は、課金管理装置７０に対して、セルラー用基地局装置８０を介して、要求する通信コンテンツに対する課金処理を要求する（Ｓ１９、Ｓ２０）。
【００７５】
課金管理装置７０は、端末装置３０から送信された課金処理要求を受信する（Ｓ２２）。端末装置３０からの課金処理要求を契機として、課金管理装置７０は、課金処理を実行する（Ｓ３４）。さらに、課金管理装置７０は、セルラー用基地局装置８０を介して、端末装置３０に課金処理要求の結果を返答する（Ｓ３５、Ｓ３６）。
【００７６】
端末装置３０は、課金管理装置７０からの返答を受け、放送局１０に対し、ＷＬＡＮ用基地局装置６０を介して、通信コンテンツの配信を要求する（Ｓ３８、Ｓ４０）。放送局１０は、配信すべきコンテンツのフォーマットを通信用フォーマットに変換して、通信コンテンツを生成する（Ｓ４２）。その後、放送局１０は、ＷＬＡＮ用基地局装置６０を介して、生成された通信コンテンツを端末装置３０に配信する（Ｓ４４、Ｓ４６）。
【００７７】
端末装置３０は、配信された通信コンテンツを受信し、受信した通信コンテンツのフォーマットを再生部３４で再生可能な放送フォーマットに変換する（Ｓ４８）。また、端末装置３０は、変換された通信コンテンツを再生し、表示する（Ｓ４９）。
【００７８】
図９は、図１の端末装置３０の動作例を示すフローチャートである。このフローチャートは、放送された放送コンテンツの受信を開始したことを契機として開始されてもよい。まず、端末装置３０は、受信した放送コンテンツに含まれる番組と、付加情報を表示する（Ｓ５０）。ここで、ユーザが、付加情報に示される通信コンテンツの配信を要求しなかった場合（Ｓ５２のＮ）、Ｓ７２の終了判定に移る。一方、ユーザが配信を要求した場合（Ｓ５２のＹ）、端末装置３０は、課金管理装置７０に対して、課金処理要求する（Ｓ５４）。
【００７９】
つぎに、端末装置３０は、課金管理装置７０から、課金処理要求の結果を受信する（Ｓ５６）。ここで、端末装置３０は、放送局１０に対して、ユーザが希望する通信コンテンツの配信を要求する（Ｓ５８）。ここで、端末装置３０は、放送局１０からＷＬＡＮ用基地局装置６０を介して送信された通信コンテンツを受信する（Ｓ６４）。さらに、端末装置３０は、受信した通信コンテンツのフォーマットを再生部３４で再生可能な放送用フォーマットに変換する（Ｓ６６）。また、端末装置３０は、変換された通信コンテンツを再生し、表示する（Ｓ６８）。その後、コンテンツの視聴の終了が指示されたか否かについて判断を行う（Ｓ７２）。指示されていない場合（Ｓ７２のＮ）には、処理をＳ５０に移す。一方、指示された場合（Ｓ７２のＹ）には、処理を終了する。
【００８０】
図１０は、図１の放送局１０の動作例を示すフローチャートである。放送局１０は、番組と付加情報が含まれた放送コンテンツを放送する（Ｓ１００）。なお、放送コンテンツの放送は、この後、コンテンツの配信を終了するまで継続される。ここで、端末装置３０から通信コンテンツの配信を要求されなかった場合（Ｓ１０２のＮ）、Ｓ１１４に移行させる。一方、配信を要求された場合（Ｓ１０２のＹ）、放送局１０は、配信すべきコンテンツのフォーマットを通信用フォーマットに変換して、配信すべき通信コンテンツを生成する（Ｓ１１０）。さらに、放送局１０は、ＷＬＡＮ用基地局装置６０を介して、生成された通信コンテンツを端末装置３０に配信する（Ｓ１１２）。その後、コンテンツの配信を終了するか否かの判断を行い（Ｓ１１４）、終了しない場合（Ｓ１１４のＮ）はＳ１００へ処理を移し、終了する場合（Ｓ１１４のＹ）には処理を終了する。
【００８１】
図１１は、図１の課金管理装置７０の動作例を示すフローチャートである。まず、課金管理装置７０は、セルラー用基地局装置８０を介して、端末装置３０からの課金処理要求を受信する（Ｓ１２０）。つぎに、課金管理装置７０は、課金処理要求にしたがって、課金処理を実行する（Ｓ１３０）。さらに、課金管理装置７０は、課金処理要求を送信した端末装置３０に対して、課金処理の結果を通知する（Ｓ１３２）。
【００８２】
本発明の実施形態によると、配信側において、再生側にて再生可能な放送用に規定された形式の通信コンテンツを含めたデータについて、放送システムとは異なる通信システムを介して配信し、かつ、再生側において、受信したデータから、放送用に規定された形式のデータを抽出し、抽出されたデータを再生することによって、端末装置３０は、通信コンテンツを簡易に取得できる。
【００８３】
また、通信コンテンツが配信される通信システムとは異なる別の課金システムであって、すでに端末装置３０との間における既存の課金処理システムにおいて、通信コンテンツの配信に対する課金処理を実施することによって、放送事業者は新たに課金処理のシステムを構築する必要がなくなり、また、端末装置３０は、簡易に課金処理を実現できる。また、端末装置３０は、ユーザに接続先を意識させることなく、放送局１０から取得した放送コンテンツの番組を表示でき、また、通信システムを介して取得した通信コンテンツの番組を表示できる。
【００８４】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００８５】
なお、実施形態において、配信システム１００は、課金管理装置７０を含むとして説明したが、これにかぎらず、配信システム１００は、課金管理装置７０を含まない構成であってもよい。この場合、放送局１０は、有料の通信コンテンツの課金処理を実行するための機能を搭載すればよい。このような態様であっても、端末装置３０は、放送局１０に蓄積されたコンテンツを簡易に取得できる。なお、本実施形態では、放送局１０内に放送コンテンツ配信部と通信コンテンツ配信部の双方が含まれ、同一のバスで接続される構成としたが、これらは別々に存在してもよく、バスのようなものではなく、ネットワークのようなもので接続されてもよい。
【００８６】
また、図３に示す変換例においては、それぞれのＩＰパケットにつき、ヘッダ情報１２２を付加するとして説明したが、これにかぎらず、たとえば、複数のＩＰパケットを一単位として、ヘッダ情報１２２を付加してもよい。また、それぞれのＩＰパケットの長さ、および、区切りによらずに、ＩＰパケットを通信用フォーマット２００ｂに搭載してもよい。これらの場合であっても、端末装置３０における変換処理は、上記変換処理に対応するような逆の変換処理を実行することによって、上述と同様の効果を得られることは言うまでもない。
【００８７】
また、課金処理は、配信要求に先立って、端末装置３０が課金管理装置７０に対して、課金処理要求を依頼するとして説明した。しかしながらこれにかぎらず、たとえば、端末装置３０は、放送局１０に対して、間接的に、課金処理要求を依頼してもよい。つまり、端末装置３０が、放送局１０に対して課金処理要求を依頼すると、放送局１０は、その依頼を課金管理装置７０に転送する。課金管理装置７０において課金処理が完了すれば、その結果が、放送局１０に送られ、放送局１０から端末装置３０に通信コンテンツが配信される。このような態様により、端末装置３０の負荷が軽減されるほか、モバイル通信網内のリソースの効率化が図れる。さらに、端末装置３０は、課金に関する装置を備える必要がなくなるため、コストを減少できる。
【００８８】
また、端末装置３０が通信コンテンツを要求した際に、アクセス可能なＷＬＡＮ用基地局装置６０がなかった場合には、その通信コンテンツに対するビットレートの情報から別の通信手段でアクセスが可能であるかの判断を行い、別の通信手段でのアクセスを行ってもよい。別の通信手段は、セルラー用の無線通信手段でもよい。この際、判断条件としてユーザが別な通信手段を所望しているかどうかの判断をさらに行ってもよい。また、コンテンツの遷移先をビットレートの情報とともに複数準備しておき、その中から最良の画質を選ぶようなものであってもよいし、通信費の観点からもっとも通信量の少ないものを選んでもよい。
【図面の簡単な説明】
【００８９】
【図１】本発明の実施形態にかかる通信システムの構成例を示す図である。
【図２】図１の放送局の構成例を示す図である。
【図３】図３（ａ）〜（ｄ）は、コンテンツのフォーマットの例を示す図である。
【図４】図１の端末装置の構成例を示す図である。
【図５】図４の再生部の構成例を示す図である。
【図６】図４の出力部における表示例を示す図である。
【図７】図１の課金管理装置の構成例を示す図である。
【図８】図１の通信システムの動作例を示すシーケンス図である。
【図９】図１の端末装置の動作例を示すフローチャートである。
【図１０】図１の放送局の動作例を示すフローチャートである。
【図１１】図１の課金管理装置の動作例を示すフローチャートである。
【符号の説明】
【００９０】
１０  放送局、  ３０  端末装置、  ５０  ネットワーク、  ６０  ＷＬＡＮ用基地局装置、  ７０  課金管理装置、  ８０  セルラー用基地局装置、  １００  配信システム、  １１０  ＴＳパケット、  １２０  タイムスタンプ、  １２２  ヘッダ情報、  １３０  番組表示欄、  １４０  付加情報表示欄、  １４２  カーソル、  ２００  記録用フォーマット、  ２１０  放送用フォーマット、  ２２０  通信用フォーマット。
【図１】
2010028152.tif 000003
【図２】
2010028152.tif 000004
【図３】
2010028152.tif 000005
【図４】
2010028152.tif 000006
【図５】
2010028152.tif 000007
【図６】
2010028152.tif 000008
【図７】
2010028152.tif 000009
【図８】
2010028152.tif 000010
【図９】
2010028152.tif 000011
【図１０】
2010028152.tif 000012
【図１１】
2010028152.tif 000013